(57)【要約】      （修正有）【課題】静電スイッチを有する第１扉と隣接する第２扉の手掛け部に利用者の手が近づいても、誤って第１扉が開かない冷蔵庫を提供する。【解決手段】キャビネットに設けられた左右一対の観音開き式の扉１２１，１２２と、左扉１２１，右扉１２２に設けられ、開扉装置を動作させる静電スイッチ２１０と、キャビネットに設けられ、左右一対の扉１２１，１２２と隣接する野菜扉１３１と、野菜扉１３１に設けられ、かつ、左右一対の扉１２１，１２２と隣接する手掛け部１１３と、手掛け部１１３に利用者の手が近づいたか、又は、前記手が入れられたことを検出する手検出部２２０と、手検出部２２０が手を検出しているときに開扉装置を動作させない制御部とを有する。【選択図】図４
2017150783.tif 000002
【特許請求の範囲】
【請求項１】
キャビネットと、
前記キャビネットに設けられた第１扉と、
前記第１扉を開く開扉装置と、
前記第１扉に設けられ、前記開扉装置を動作させる静電容量式の静電スイッチと、
前記キャビネットに設けられ、かつ、前記第１扉と隣接する第２扉と、
前記第２扉に設けられ、かつ、前記第１扉と隣接する手掛け部と、
前記手掛け部に利用者の手が近づいたか、又は、前記手が入れられたことを検出する手検出部と、
前記手検出部が前記手を検出しているときに前記開扉装置の操作を停止させる制御部と、
を有する冷蔵庫。
【請求項２】
前記手検出部が、近接センサである、
請求項１に記載の冷蔵庫。
【請求項３】
前記手検出部が、前記第２扉と隣接する前記第１扉に設けられている、
請求項１又は２に記載の冷蔵庫。
【請求項４】
前記手検出部が、前記第２扉の前面に設けられている、
請求項１又は２に記載の冷蔵庫。
【請求項５】
前記手検出部が、前記第２扉の前記手掛け部の中に設けられている、
請求項１又は２に記載の冷蔵庫。
【請求項６】
前記手検出部が、前記第２扉の前記手掛け部の中央部に設けられている、
請求項５に記載の冷蔵庫。
【請求項７】
前記手検出部が、前記第２扉の前記手掛け部の左右両側にそれぞれ設けられている、
請求項５に記載の冷蔵庫。
【請求項８】
前記制御部は、前記手検出部が前記手を検出しているときに前記利用者に前記手を検出していることを報知する、
請求項１に記載の冷蔵庫。
【請求項９】
前記第１扉が、上扉であり、
前記第２扉が、前記上扉より下方に設けられた下扉である、
請求項１又は２に記載の冷蔵庫。
【請求項１０】
前記第１扉が、左右一対の観音開き式の扉である、
請求項９に記載の冷蔵庫。
【請求項１１】
前記第２扉が、引き出し式の扉である、
請求項９に記載の冷蔵庫。
【発明の詳細な説明】
【技術分野】
【０００１】
本発明の実施形態は、冷蔵庫に関するものである。
【背景技術】
【０００２】
最近の冷蔵庫は、冷蔵室の前面にある観音開き式の扉を開け易くするために扉の前面に静電スイッチが設けられ、利用者がその静電スイッチに手をタッチをするとソレノイド式の開扉装置が動作してその扉を押し開く。
【先行技術文献】
【特許文献】
【０００３】
【特許文献１】特開２００５−３３２０号公報
【発明の概要】
【発明が解決しようとする課題】
【０００４】
上記冷蔵庫において、冷蔵室の扉の下方に引き出し式の野菜扉が設けられ、その野菜扉の手掛け部と静電スイッチが近い場合がある。この場合に利用者が野菜扉を開けるために手掛け部に手を掛けた場合に、静電スイッチが誤って動作し、冷蔵室の扉が開くことがあるという問題点があった。
【０００５】
そこで本発明の実施形態は、静電スイッチを有する第１扉と隣接する第２扉の手掛け部に利用者の手が近づいても、誤って第１扉が開かない冷蔵庫を提供することを目的とする。
【課題を解決するための手段】
【０００６】
本発明の実施形態は、キャビネットと、前記キャビネットに設けられた第１扉と、前記第１扉を開く開扉装置と、前記第１扉に設けられ、前記開扉装置を動作させる静電容量式の静電スイッチと、前記キャビネットに設けられ、かつ、前記第１扉と隣接する第２扉と、前記第２扉に設けられ、かつ、前記第１扉と隣接する手掛け部と、前記手掛け部に利用者の手が近づいたか、又は、前記手が入れられたことを検出する手検出部と、前記手検出部が前記手を検出しているときに前記開扉装置の操作を停止させる制御部と、を有する冷蔵庫である。
【図面の簡単な説明】
【０００７】
【図１】本発明の一実施形態を示す冷蔵庫の正面図。
【図２】冷蔵庫の側方から見た縦断面図。
【図３】冷蔵庫の上面図。
【図４】左扉と右扉と野菜室の扉の部分の拡大正面図。
【図５】図４におけるＡ−Ａ線断面図。
【図６】スイッチ基板の前面の図。
【図７】スイッチ基板の後面の図。
【図８】スイッチ基板の前面の図であって、ＬＥＤを記載した状態の図。
【図９】開扉操作部の分解斜視図。
【図１０】冷蔵庫のブロック図。
【図１１】実施形態２の左扉と右扉と野菜室の扉の部分の拡大正面図。
【図１２】図１１におけるＡ−Ａ線断面図。
【図１３】実施形態３の左扉と右扉と野菜室の扉の部分の拡大正面図。
【図１４】図１３におけるＡ−Ａ線断面図。
【図１５】実施形態４の左扉と右扉と野菜室の扉の部分の拡大正面図。
【図１６】図１５におけるＡ−Ａ線断面図。
【発明を実施するための形態】
【０００８】
以下、一実施形態の冷蔵庫１０について図面に基づいて説明する。
【実施形態１】
【０００９】
実施形態１の冷蔵庫１０について図１〜図１０に基づいて説明する。
【００１０】
（１）冷蔵庫１０の構造
【００１１】
冷蔵庫１０の構造について図１と図２に基づいて説明する。図１は冷蔵庫１０の正面図、図２は冷蔵庫１０の側面から見た縦断面図である。
【００１２】
冷蔵庫１０のキャビネット１１は断熱箱体であって、内箱と外箱とより形成され、その間に断熱材が充填されている。このキャビネット１１内は、上から順番に冷蔵室１２、野菜室１３、小型冷凍室１４及び冷凍室１５を有し、小型冷凍室１４の横には製氷室１６が設けられている。野菜室１３と小型冷凍室１４及び製氷室１６の間には水平な断熱仕切体３６が設けられている。冷蔵室１２と野菜室１３とは水平な仕切体３８によって仕切られている。冷蔵室１２の前面には、観音開き式の左扉１２１、右扉１２２が設けられ、野菜室１３には引出し式の野菜扉１３１が設けられ、小型冷凍室１４、冷凍室１５及び製氷室１６にもそれぞれ引出し式の扉１４１、１５１、１６１が設けられている。
【００１３】
冷蔵室１２内には、複数の棚４０が水平に設けられ、下部にはチルド室４２が設けられている。冷蔵室１２の左右扉１４１、１４２の後面には複数のドアポケット４４が設けられている。野菜室１３には、引出し式の野菜容器４６、４８が設けられている。
【００１４】
冷蔵室１２の後面下部から野菜室１３の後面において、冷蔵用蒸発器（以下、「Ｒエバ」という）２８が設けられ、その下方には冷蔵用送風機（以下、「Ｒファン」という）３０が設けられている。Ｒエバ２８とＲファン３０とは、エバカバー１８で囲まれた冷却室であるＲエバ室２０に配されている。
【００１５】
小型冷凍室１４、製氷室１６の後面から冷凍室１５の後面にかけてのＦエバ室２９には、冷凍用蒸発器（以下、「Ｆエバ」という）３２が設けられ、その上方には冷凍用送風機（以下、「Ｆファン」という）３４が設けられている。Ｆエバ３２の下方には、不図示の除霜ヒータが設けられている。
【００１６】
キャビネット１１の後面底部には、機械室２２が設けられ、冷凍サイクルを構成する圧縮機２４などが載置されている。この機械室２２の後面上部には、制御部５０を有する制御板２６が設けられている。
【００１７】
（２）左扉１２１、右扉１２２、野菜扉１３１
【００１８】
次に、左扉１２１、右扉１２２の構造について図１〜図５に基づいて説明する。
【００１９】
冷蔵室１２の左扉１２１と右扉１２２はヒンジ部により開状態となる観音開き式であり、左扉１２１は左側にヒンジ部があり、右扉１２２は右側にヒンジ部がある。
【００２０】
左右一対の開扉装置１０１，１０２が、キャビネット１１の天井面の前部に設けられている。開扉装置１０１は、制御部５０からの開扉信号により電磁石によりプランジャーを前方に押し出すことによって左扉１２１を開状態とする。開扉装置１０２は、制御部５０からの開扉信号により電磁石によりプランジャーを前方に押し出すことにより右扉１２２を開状態とする。
【００２１】
左扉１２１の前面は、鋼板より形成された前面板１０３を有し、前面板１０３の後方には後面板１０４が取り付けられている。左扉１２１の下部において、前面板１０３の下部から後面板１０４の下部にかけて合成樹脂製の下キャップ１０５が取り付けられている。前面板１０３と後面板１０４と下キャップ１０５によって囲まれた空間には、発泡ウレタン又は断熱パネルよりなる断熱部材１０６が設けられている。後面板１０４の上下左右には、冷気漏れを防止するシール材１０７が額縁状に取り付けられている。シール材１０７は、仕切板３８の前端部と接触して冷蔵室１２内部を閉塞する。また、後面板１０４の後面には、棚４４が複数取り付けられている。
【００２２】
下キャップ１０５は、図５に示すように左扉１２１の下部における後部のみを覆う形状であり、下キャップ１０５の下端には、手を入れるための取手部１０８が形成されている。
【００２３】
合成樹脂製のパネル板１０９が、前面板１０３の下部で、かつ、下キャップ１０５の前方に取り付けられている。パネル板１０９の後右側には、下キャップ１０５との間に収納空間１１０が形成され、収納空間１１０に左側の開扉操作部２０１が収納されている。
【００２４】
右扉１２２も、左扉１２１と左右対称の構造を有している。
【００２５】
野菜室１３の野菜扉１３１は引き出し式であり、野菜扉１３１の前面は鋼板よりなる前面板１１１が設けられ、前面板１１１の上端部にはキャップ１１２が設けられている。キャップ１１２は合成樹脂製であって、前部に手を入れるための手掛け部１１３が形成されている。手掛け部１１３は上面が開口し、凹んだ形状を有し、図５に示すように指を上から挿入する。キャップ１１２の後部には、冷却漏れを防止するシール材１１４が取り付けられている。シール材１１４は、野菜扉１３１の後面に額縁状に取り付けられ、上部のシール材１１４は仕切体３８に接触して野菜室１３を閉塞する。
【００２６】
（３）開扉操作部２０１、２０２
【００２７】
次に、開扉操作部２０１、２０２について図面に基づいて説明する。なお、左側の開扉操作部２０１と右側の開扉操作部２０２は、同様の構造を有し、左右対称形状である。
【００２８】
左側の開扉操作部２０１は、上記したように左扉１２１の右側下部に取り付けられ、その前方にパネル板１０９が取り付けられている。冷蔵庫１０の利用者が、この開扉操作部２０１を操作すると、制御部５０が左側の開扉装置１０１を動作させて左扉１２１を開状態とする。また、開扉操作部２０２は、右扉１２２の下部左側に取り付けられ、前面にパネル板１０９が取り付けられている。利用者がこの右側の開扉操作部２０２を操作すると、制御部５０が右側の開扉装置１０２を動作させて右扉１２２を開状態とする。
【００２９】
開扉操作部２０１は、図９に示すように基板組立体２０３、基板組立体２０３を収納するケーシング２０４を有している。
【００３０】
ケーシング２０４は合成樹脂製であって直方体状であり、前面が開口して開口部分２１８が設けられ、下面が開口し、この下面の開口部分が蓋部材２０５によって閉塞される、ケーシング２０４の後面には、アルミ箔等の金属体が貼り付けられている。また、合成樹脂製の蓋部材２０５の内面には、アルミ箔等の金属体２１９が貼り付けられている。これにより、冷蔵庫１の本体側から生じる電磁波が、基板組立体２０３側に影響を与えない。
【００３１】
基板組立体２０３は、遮蔽板２０６、スイッチ基板２０７、ＬＥＤ基板２１６から構成されている。この基板組立体２０３は、ケーシング２０４の開口部分２１８からケーシング２０４内に収納される。
【００３２】
遮蔽板２０６は、合成樹脂製であって、前面にスイッチ基板２０７が固定され、後面にＬＥＤ基板２１６が固定されている。
【００３３】
スイッチ基板２０７は、静電容量式のタッチセンサの基板であり、静電スイッチ２１０とガード電極２１１が設けられている。スイッチ基板２０７の前方には、パネル板１０９が配される。
【００３４】
ＬＥＤ基板２１６は、複数個のＬＥＤ２１７が設けられている。
【００３５】
（４）スイッチ基板２０７
【００３６】
次に、スイッチ基板２０７について図６と図７に基づいて説明する。図６はスイッチ基板２０７は前面、図７は後面を示している。
【００３７】
図６、図７に示すように、開扉操作部２０１のスイッチ基板２０７は、細長い長方形状であり、スイッチ基板２０７には、電子部品の搭載部分２０８と、静電スイッチ２１０とガード電極２１１の配置部分２０９が設けられている。
【００３８】
搭載部分２０８には、コネクタ等の電子部品２０８ａが複数搭載され、電子部品２０８ａは後面からに突出して、突出した部分は、遮蔽板２０６の凹部に収納される。
【００３９】
配置部分２０９の前面には、図６に示すように、第１の電極である静電スイッチ２１０、第２の電極である中間領域電極２１４、第３の電極であるガード電極２１１が設けられている。静電スイッチ２１０とガード電極２１１は、金属の電極であり、互いに電気的に絶縁されている。
【００４０】
配置部分２０９の後面には、図７に示すように、第４の電極であるメッシュ状のグランドパターン２１５が設けられている。
【００４１】
静電スイッチ２１０は、電磁界Ｐを発生する静電容量式のタッチ（接触）用の電極であり、利用者の指が近づいたことを検出するためのタッチセンサである。この静電スイッチ２１０には、相互キャパシタンス方式のタッチセンサと自己キャパシタンス方式のタッチセンサがある。相互キャパシタンス方式は、１つの送信電極と１つの受信電極により構成され、送信電極に電流が供給されると電磁界が生成されて、電磁界が受信電極に受信される。例えば指が静電スイッチ２１０の検出領域に近づくと、電磁界の一部が吸収されて受信電極に受信され、検出されるエネルギーの量が減ることで、静電スイッチ２１０は指の接近を検出できる。自己キャパシタンス方式は、浮遊容量を持つ電極（静電スイッチ２１０）が１つ必要である。電極（静電スイッチ２１０）の浮遊容量は、この電極（静電スイッチ２１０）とその周りの導電体（指）との間にある寄生容量の影響を受ける。指が、静電スイッチ２１０に近づくと、寄生容量の影響を受けて浮遊容量の値が増加し、この増加した浮遊容量を計測することで、静電スイッチ２１０は指の接近を検出できる。
【００４２】
中間領域電極２１４は、静電スイッチ２１０とガード電極２１１の間に設けられ、静電スイッチ２１０を補助し、静電スイッチとしての機能を有している。
【００４３】
ガード電極２１１は、静電スイッチ２１０が発生する電磁界Ｐの下方への拡がり抑制する電磁界Ｑを発生させる。
【００４４】
グランドパターン２１５は、冷蔵庫１０の本体側からのノイズが、静電スイッチ２１０によって発生する電磁界Ｐとガード電極２１１によって発生する電磁界Ｑに影響を与えないために設けられている。
【００４５】
（５）静電スイッチ２１０
【００４６】
次に、静電スイッチ２１０について説明する。図６に示すように、静電スイッチ２１０は、横長の長方形状のスイッチであり、静電スイッチ２１０の周囲には、スリット２１２，２１３が上下に形成されている。静電スイッチ２１０の中央には、スルーホール２１０Ｃが形成され、スルーホール２１０Ｃには、図７に示すように導線パターン２１０Ｄが接続されている。利用者が指で静電スイッチ２１０を押す（接触する）行為は、通常は静電スイッチ２１０の中心を目指して行われるので、スルーホール２１０Ｃは、スルーホール２１０Ｃが静電スイッチ２１０の中心に形成されている。
【００４７】
また、静電スイッチ２１０の前方に取り付けられているパネル板１０９には、静電スイッチ２１０の位置を示すための表示部１１５が記載されている。この表示部１１５は例えばリング状であり、この表示部１１５が表示されている位置は、静電スイッチ２１０の中心から上方にずれている。すなわち、ガード電極２１１とは反対側の位置にずれて表示されている。
【００４８】
図６、図８に示すように、静電スイッチ２１０の一端部は、連結部分２１０Ａにより配置部分２０９に連結され、静電スイッチ２１０の他端部は、連結部分２１０Ｂにより配置部分２０９に連結されている。スリット２１２，２１３が静電スイッチ２１０の全体を囲っておらず、コの字状に形成されているのは、静電スイッチ２１０とスリット２１２，２１３の外側とを連結部分２１０Ａ、２１０Ｂで接続し、スイッチ基板２０７が分割させないためである。
【００４９】
（６）ＬＥＤ基板２１６
【００５０】
次に、ＬＥＤ基板２１６について説明する。ＬＥＤ基板２１６に設けられた複数のＬＥＤ２１７は、図８に示すように、静電スイッチ２１０を囲むスリット２１２，２１３の後方に遮蔽板２０６を介して配置されている。遮蔽板２０６には、これらＬＥＤ２１７に対応して光が通る開口部が設けられている。なお、スリット２１２，２１３の４つの角部に対応する４つのＬＥＤ２１７は、スリット２１２から外れたスリット２１３の外側に配置されている。
【００５１】
（７）ガード電極２１１
【００５２】
次に、ガード電極２１１について説明する。図６に示すガード電極２１１は、配置部分２０９において、静電スイッチ２１０と中間領域電極２１４の下部に横長の長方形状に形成されている。ガード電極２１１は、静電スイッチ２１０が発生する電磁界Ｐとは反対方向の電磁界Ｑを発生する。これにより、図５に示すように、静電スイッチ２１０の発生する電磁界Ｐは、ガード電極２１１の発生する反対方向の電磁界Ｑにより下方への拡がりを抑制される。
【００５３】
（８）手検出部２２０
【００５４】
野菜扉１３１の前面板１１１の上部、即ち手掛け部１１３の下方には、手検出部２２０が設けられている。手検出部２２０は、光センサなどの近接センサ２であり、利用者が野菜扉１３１の手掛け部１１３に手（指）を入れようとして近づいたときに、その手を検出する。この手検出部２２０が設けられている位置は、野菜扉１３１のほぼ中央部である。この中央部に設ける理由は、利用者が野菜扉１３１を引き出す場合に手掛け部１１３の中央部を手で持って引き出す場合が多いからである。
【００５５】
（９）冷蔵庫１０の電気的構成
【００５６】
次に、冷蔵庫１０の電気的構成について図１０のブロック図に基づいて説明する。図１０に示すように、制御部５０は、開扉操作部２０１，２０２の静電スイッチ２１０とガード電極２１１、開扉装置１０１，１０２、複数のＬＥＤ２１７、手検出部２２０が電気的に接続されている。
【００５７】
また、この制御部５０には、圧縮機２４、Ｒファン３０、Ｆファン３４などが接続されている。
【００５８】
（１０）開扉操作部２０１の取り付け構造
【００５９】
次に、左扉１２１に開扉操作部２０１を取り付ける構造について図４、図５、図９に基づいて説明する。
【００６０】
まず、基板組立体２０３を、ケーシング２０４内に開口部分２１８から挿入する。
【００６１】
次に、基板組立体２０３を収納した状態でケーシング２０４の下面の開口部分に蓋部材２０５を取り付け、基板組立体２０３をケーシング２０４に固定する。これにより開扉操作部２０１が完成する。
【００６２】
次に、左扉１２１に関して、前面板１０３、後面板１０４、下キャップ１０５を取り付け断熱部材１０６を注入した状態にしておく。そして、下キャップ１０５によって形成された収納空間１１０に、開扉操作部２０１を取り付ける。
【００６３】
次に、前面板１０３の下部にパネル板１０９を取り付ける。このとき表示部１１５が、静電スイッチ２１０の中心よりやや上方に位置するようにしている。
【００６４】
開扉操作部２０２も上記と同様に右扉１２２に取り付ける。
【００６５】
（１１）左扉１２１、右扉１２２を開ける場合
【００６６】
次に、利用者が左扉１２１を開ける場合の動作状態について説明する。
【００６７】
まず、制御部５０は、左扉１２１の閉扉状態で静電スイッチ２１０を「高感度」状態に保持して電磁界Ｐを発生させ、ガード電極２１１を通電し電磁界Ｑを発生させる。
【００６８】
次に、利用者の指が静電スイッチ２１０の検出領域である電磁界Ｐに入ると、静電スイッチ２１０は、指が近づいていることを示す接近信号ＳＧを制御部５０に送る。
【００６９】
次に、制御部５０は、接近信号ＳＧを受けると、指が静電スイッチ２１０に対して接近したと判断して、ガード電極２１１への通電を止めると共に、静電スイッチ２１０の感度を「高感度」から「低感度」に下げる。また、制御部５０は、同時にＬＥＤ２１７を点灯させて静電スイッチ２１０の周囲を照明し、静電スイッチ２１０の位置を浮かび上がらせる。これにより利用者が静電スイッチ２１０の位置を視覚で確認できる。
【００７０】
次に、指が静電スイッチ２１０に接近した状態から静電スイッチ２１０に接触すると、静電スイッチ２１０は接触スイッチとして機能して、静電スイッチ２１０は、指が静電スイッチ２１０に接触したことを示す接触信号ＳＨを制御部５０に送る。
【００７１】
次に、制御部５０は、接触信号ＳＨを受けると開扉装置１０１を動作させて左扉１２１の開扉操作を行う。
【００７２】
この動作内容は、右扉１２２についても同様である。
【００７３】
（１２）野菜扉１３１を開ける場合
【００７４】
次に、利用者が野菜扉１３１を開ける場合の動作状態について説明する。
【００７５】
利用者が野菜扉１３１を開けようとして、手掛け部１１３の中央部分に手（指）を近づけるか、又は、手掛け部１１３に入れたときに、手検出部２２０がその手を検出し、制御部５０に検出信号を出力する。制御部５０は、手検出部２２０から検出信号が入力すると、開扉装置１０１，１０２の操作を停止させ、利用者の手が近づいても開扉装置１０１，１０２が動作せず、左扉１２１，右扉１２２が開扉状態にならない。
【００７６】
そして、利用者は、手を手掛け部１１３に入れて図５に示すように野菜扉１３１を手前に引き出す。
【００７７】
（１３）効果
【００７８】
本実施形態によれば、野菜室１３の野菜扉１３１を開けるために手掛け部１１３に手を近づけるか、又は、手掛け部１１３に入れたときに、手検出部２２０がそれを検出して、左扉１２１，右扉１２２の開扉装置１０１，１０２の操作を停止させるため、誤って左扉１２１、右扉１２２が開いたりすることがない。
【００７９】
また、野菜扉１３１を開けるために手掛け部１１３の中央部以外の位置に手を挿入しても、開扉操作部２０１，２０２における静電スイッチ２１０から発生した電磁界Ｐは、ガード電極２１１から発生した電磁界Ｑにより下方への広がりを抑制されているため、手掛け部１１３に入れた指によって静電スイッチ２１０が機能することがなく、誤って左扉１２１や右扉１２２が開くことがない。特に、ガード電極２１１は、左扉１２１や右扉１２２の下部の縁部に沿って細長く形成されているため、野菜室１３の野菜扉１３１の手掛け部１１３のどの位置に手を入れても誤動作を防止できる。
【００８０】
また、左扉１２１を開ける場合には、左扉１２１の下部右側にある表示部１１５に指を近づけ接触させると左扉１２１を開けることができる。
【実施形態２】
【００８１】
次に、実施形態２の冷蔵庫１０について図１１と図１２に基づいて説明する。本実施形態と実施形態１の異なる点は、手検出部２２０が設けられている位置にある。本実施形態では、手検出部２２０が、手掛け部１１３の前面中央部に設けられている。
【００８２】
本実施形態でも、手検出部２２０が利用者の手の接近、又は、手掛け部１１３に手を入れたことを確実に検出できるため、左扉１２１，右扉１２２が誤って開かない。
【実施形態３】
【００８３】
次に、実施形態３の冷蔵庫１０について図１３と図１４に基づいて説明する。本実施形態と実施形態１の異なる点は、手検出部２２０の取り付け位置にある。本実施形態では、手掛け部１１３の左右両側にそれぞれ設けられている。
【００８４】
利用者の手が手掛け部１１３に入れると、左右両側の手検出部２２０が手を検出し、左扉１２１，右扉１２２が誤って開かない。
【実施形態４】
【００８５】
次に、実施形態４の冷蔵庫１０について図１５と図１６に基づいて説明する。本実施形態と実施形態１の異なる点は、手検出部２２０の取り付け位置にある。本実施形態では、図１６に示すように、開扉装置１０１，１０２が設けられている下方にある下キャップ１０５の上端部、すなわち、取っ手部１０８の内側上面に設けられている。
【００８６】
取っ手部１０８の上面内側に設けられた手検出部２２０は、検出方向が下方に向き、野菜扉１３１の手掛け部１１３に手を入れるとそれを検出し、左扉１２１，右扉１２２が誤って開かない。
【変更例】
【００８７】
上記各実施形態において、手検出部２２０が手を検出したときに、利用者に手を検出していることを制御部５０が音、又は、光などで報知してもよい。
【００８８】
また、上記各実施形態では、冷蔵室の扉である第１扉が上、野菜扉である第２扉が下に位置していたが、これに限らず、第１扉が下、第２扉が上、又は、第１扉と第２扉とが左右方向に並んで隣接していてもよい。
【００８９】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００９０】
１０・・・冷蔵庫、１１・・・キャビネット、１２・・・冷蔵室、１３・・・野菜室、５０・・・制御部、１０１・・・開扉装置、１０２・・・開扉装置、１２１・・・左扉、１２２・・・右扉、１３１・・・野菜扉、２０１・・・開扉操作部、２０２・・・開扉操作部、２１０・・・静電スイッチ、２２０・・・手検出部
【図１】
2017150783.tif 000003
【図２】
2017150783.tif 000004
【図３】
2017150783.tif 000005
【図４】
2017150783.tif 000006
【図５】
2017150783.tif 000007
【図６】
2017150783.tif 000008
【図７】
2017150783.tif 000009
【図８】
2017150783.tif 000010
【図９】
2017150783.tif 000011
【図１０】
2017150783.tif 000012
【図１１】
2017150783.tif 000013
【図１２】
2017150783.tif 000014
【図１３】
2017150783.tif 000015
【図１４】
2017150783.tif 000016
【図１５】
2017150783.tif 000017
【図１６】
2017150783.tif 000018